(57)【要約】【課題】全体としてほぼ均一な色調の照明光が得られる発光モジュールを提供することを目的としている。また、本発明は、そのような発光モジュールを備えた面光源、さらに、そのような面光源を備えた液晶表示装置および照明装置を提供する。【解決手段】発光モジュール５０において、隣り合う点状光源１７，１７は、混色によって目標の色度ランクエリアＭに入るようにΔＸ１＋ΔＸ２＝ΔＸ×２、かつ、ΔＹ１＋ΔＹ２＝ΔＹ×２の関係を満たし、なおかつ、第１の色度ランクエリアｇの中心ｇｃと第２の色度ランクエリアＥの中心Ｅｃとは、目標の色度ランクエリアＭの中心Ｍｃを通る仮想直線ｇＥ１、ｇＥ２であって目標の色度ランクエリアＭの一辺あるいは他辺に平行な仮想直線ｇＥ１，ｇＥ２に対して軸対称である。【選択図】図１０
2011113941.tif 000002
【特許請求の範囲】
【請求項１】
基板と、
前記基板上に搭載され、かつ、白色光を発する複数の点状光源とを備え、
前記点状光源の各々は、その色度に応じてＣＩＥ１９３１座標において色度ランクに区分され、
隣り合う点状光源のうち、一方の点状光源は、平行四辺形をなす第１の色度ランクエリアに属し、他方の点状光源は、平行四辺形をなす第２の色度ランクエリアに属し、
前記第１および第２の色度ランクエリアの一辺あるいは該一辺に平行でない他辺と、平行四辺形をなす目標の色度ランクエリアの一辺あるいは該一辺に平行でない他辺とがそれぞれ平行であって、
前記目標の色度ランクエリアの一辺および他辺のうち、Ｘ軸に直接投影できる側の一辺のＸ軸に投影した色度座標の差であるＸ座標差をΔＸ、Ｙ軸に直接投影できる側の他辺のＹ軸に投影した色度座標の差であるＹ座標差をΔＹとし、
前記第１の色度ランクエリアの一辺および他辺のうち、Ｘ軸に直接投影できる側の一辺のＸ軸に投影した色度座標の差であるＸ座標差をΔＸ１、Ｙ軸に直接投影できる側の他辺のＹ軸に投影した色度座標の差であるＹ座標差をΔＹ１とし、
前記第２の色度ランクエリアの一辺および他辺のうち、Ｘ軸に直接投影できる側の一辺のＸ軸に投影した色度座標の差であるＸ座標差をΔＸ２、Ｙ軸に直接投影できる側の他辺のＹ軸に投影した色度座標の差であるＹ座標差をΔＹ２とすると、
隣り合う点状光源は、混色によって前記目標の色度ランクエリアに入るように
ΔＸ１＋ΔＸ２＝ΔＸ×２、かつ、
ΔＹ１＋ΔＹ２＝ΔＹ×２
の関係を満たし、
なおかつ、前記第１の色度ランクエリアの中心と前記第２の色度ランクエリアの中心とは、前記目標の色度ランクエリアの中心を通る仮想直線であって前記目標の色度ランクエリアの一辺あるいは他辺に平行な仮想直線に対して軸対称であることを特徴とする発光モジュール。
【請求項２】
請求項１に記載の発光モジュールであって、
前記一方の点状光源は、前記第１の色度ランクエリアに含まれる第３の色度ランクエリアであって前記第１の色度ランクエリアよりもサイズの小さい第３の色度ランクエリア内に属し、前記他方の点状光源は、前記第２の色度ランクエリアに含まれる第４の色度ランクエリアであって前記第２の色度ランクエリアよりもサイズの小さい第４の色度ランクエリア内に属することを特徴とする発光モジュール。
【請求項３】
請求項２に記載の発光モジュールであって、
前記一方および他方の点状光源は、それぞれ、前記第３および第４の色度ランクエリアに対して前記目標の色度ランクエリアの中心に対称な位置関係にある第５および第６の色度ランクエリアであって前記第３および第４の色度ランクエリアとそれぞれ同形である第５および第６の色度ランクエリアに属することを特徴とする発光モジュール。
【請求項４】
請求項３に記載の発光モジュールであって、
前記第３および第４の色度ランクエリアのいずれか一つは、少なくとも前記目標の色度ランクエリア内に配置されていることを特徴とする発光モジュール。
【請求項５】
請求項４に記載の発光モジュールであって、
前記第３の色度ランクエリアは、前記第４の色度ランクエリアとは離間していることを特徴とする発光モジュール。
【請求項６】
請求項４または請求項５に記載の発光モジュールであって、
前記第３の色度ランクエリアは、前記目標の色度ランクエリアを挟んで前記第５の色度ランクエリアと対向して配置されていることを特徴とする発光モジュール。
【請求項７】
請求項４に記載の発光モジュールであって、
前記第３の色度ランクエリアは、前記第５の色度ランクエリアと同一のエリアであることを特徴とする発光モジュール。
【請求項８】
請求項７に記載の発光モジュールであって、
前記第３および第４の色度ランクエリアは、四角形であって、
前記第３の色度ランクエリアは、前記第４の色度ランクエリアと一辺を接して隣接して配置されていることを特徴とする発光モジュール。
【請求項９】
請求項６に記載の発光モジュールであって、
前記第４の色度ランクエリアは、前記目標の色度ランクエリア内にあって前記第６の色度ランクエリアと重複しないことを特徴とする発光モジュール。
【請求項１０】
請求項２または請求項３に記載の発光モジュールであって、
前記第３および第４の色度ランクエリアは、その一辺および該一辺に平行でない他辺が、それぞれ、前記目標の色度ランクエリアの一辺および該一辺に平行でない他辺と平行である平行四辺形であることを特徴とする発光モジュール。
【請求項１１】
請求項２または請求項３に記載の発光モジュールであって、
前記第３の色度ランクエリアは、前記平行四辺形の一部を切りかいた台形状であることを特徴とする発光モジュール。
【請求項１２】
請求項２から請求項１１までの何れか一つに記載の発光モジュールであって、
前記第３および第４の色度ランクエリアは、前記目標の色度ランクエリアより小さいサイズであることを特徴とする発光モジュール。
【請求項１３】
請求項２から請求項１２までの何れか一つに記載の発光モジュールであって、
前記目標の色度ランクエリアは、中心の色度点（Ｘｍ，Ｙｍ）に対して定義される４つの色度点（Ｘｍ＋０．０１，Ｙｍ＋０．０１）、（Ｘｍ−０．０１，Ｙｍ−０．０１）、（Ｘｍ＋０．０１，Ｙｍ−０．０１）、（Ｘｍ−０．０１，Ｙｍ＋０．０１）を頂点とする正方形の色度エリア内に設定されていることを特徴とする発光モジュール。
【請求項１４】
請求項１から請求項１３までの何れか一つに記載の発光モジュールであって、
前記基板は、長手状のものとされており、前記複数の点状光源は、前記基板の長手方向に沿って直線上に配置されていることを特徴とする発光モジュール。
【請求項１５】
請求項１４に記載の発光モジュールであって、
前記複数の点状光源は、前記基板上に等間隔で配置されていることを特徴とする発光モジュール。
【請求項１６】
請求項１から請求項１５までの何れか一つに記載の発光モジュールであって、
前記複数の点状光源は、同じ構成からなることを特徴とする発光モジュール。
【請求項１７】
請求項６に記載の発光モジュールであって、
前記隣り合う点状光源のうちの一方および他方の点状光源は、それぞれ、前記第３および第４の色度ランクエリアに対して前記目標の色度ランクエリアの中心に対称な位置関係にある第５および第６の色度ランクエリアであって前記第３および第４の色度ランクエリアとそれぞれ同形である第５および第６の色度ランクエリアに属することを特徴とする発光モジュール。
【請求項１８】
請求項８に記載の発光モジュールであって、
前記隣り合う点状光源のうちの一方および他方の点状光源は、それぞれ、前記第３および第４の色度ランクエリアに対して前記目標の色度ランクエリアの中心に対称な位置関係にある第５および第６の色度ランクエリアであって前記第３および第４の色度ランクエリアとそれぞれ同形である第５および第６の色度ランクエリアに属することを特徴とする発光モジュール。
【請求項１９】
請求項６または請求項８に記載の発光モジュールである第１発光モジュールと、請求項１７または請求項１８に記載の発光モジュールである第２発光モジュールと、筐体とを含み、前記複数の点状光源が前記基板上に一列に列設された発光モジュールを前記筐体上にマトリックス状に配置して形成された面光源であって、
前記第１発光モジュールおよび前記第２発光モジュールが前記筐体上に前記点状光源の列設方向に直交する方向に隣り合って配置されていることを特徴とする面光源。
【請求項２０】
請求項７または請求項９に記載の発光モジュールである第３発光モジュールと、筐体とを含み、前記複数の点状光源が前記基板上に一列に列設された発光モジュールを前記筐体上にマトリックス状に配置して形成された面光源であって、
前記点状光源の列設方向に直交する方向に隣り合っている発光モジュールのどちらか少なくとも一方が前記第３発光モジュールであることを特徴とする面光源。
【請求項２１】
請求項１９または請求項２０に記載の面光源と光学シートと液晶パネルとを備えた液晶表示装置。
【請求項２２】
請求項１９または請求項２０に記載の面光源と拡散板とを備えた照明装置。
【発明の詳細な説明】
【技術分野】
【０００１】
本発明は、発光モジュール、面光源、液晶表示装置および照明装置に関する。
【背景技術】
【０００２】
例えば、液晶テレビなどの液晶表示装置に用いる液晶パネルは、自発光しないため、別途に照明装置としてバックライト装置を必要とする。このバックライト装置は、液晶パネルの裏側（表示面とは反対側）に設置されるものが周知であり、多数個の点状光源（例えば発光ダイオード等の発光素子）を備える。
【０００３】
かかるバックライト装置には白色発光ダイオード（白色ＬＥＤ）を搭載する構成が知られているが、当該白色ＬＥＤは、白色の中でも色調にばらつきが生じることが多い。そこで、色調にばらつきのある白色ＬＥＤを用いて、所定の白色光を照射することが可能な装置として特許文献１に記載のバックライト装置が知られている。この装置では、白色ＬＥＤの光が黄色味がかっている場合に、青色ＬＥＤの発光を強めることにより、所定の白色光を得ることが可能となっている。その他、後述する特許文献２がある。
【先行技術文献】
【特許文献】
【０００４】
【特許文献１】特開２００８−１５３０３９号公報
【特許文献２】特開２００７−０８０５３０号公報
【発明の概要】
【発明が解決しようとする課題】
【０００５】
しかしながら、特許文献１に開示されたバックライト装置では、２種類のＬＥＤを用いるため、管理が煩雑となるとともに、例えば白色ＬＥＤが緑色味がかった場合には、所定の白色光を得られないという課題がある。また、所定の白色光を得るために、当該所定の白色光を発する白色ＬＥＤのみを選択して使用するという手段も考えられるが、この場合、限られた白色ＬＥＤしか使用することができないため、白色ＬＥＤを必要以上に生産しなければならず、バックライト装置のコストアップに繋がり得る。
【０００６】
また、特許文献２には、所定の色度分布を有する複数の発光ダイオードをプリント基板上に実装する際に、隣接する発光ダイオードの混色により、目標に色度範囲に入るように配置する事例が記載されているが、発光ダイオードが属する色度範囲の大きさや目標の色度範囲との位置関係等詳細についてほとんど規定されておらず、発明内容が明確とされていない。
【０００７】
本発明は、前記したような事情に鑑みてなされたものであって、色度ムラのない液晶表示装置や照明機器の面光源そのものあるいは面光源の部品としての発光モジュールを低コストで提供することを目的としている。また、本発明は、そのような発光モジュールを備えた面光源、さらに、そのような面光源を備えた液晶表示装置および照明装置を提供することを目的とする。
【課題を解決するための手段】
【０００８】
本発明は、白色光を発する複数の点状光源を基板上に搭載した発光モジュールにおいて、前記基板上に前記複数の点状光源を配列するに際して、隣り合う点状光源を、その光の混色が目標の色度ランクエリアに入るように配置することで、全体としてほぼ均一な色調の照明光が得られるという知見のもとに完成したものである。
【０００９】
すなわち、本発明は、前記課題を解決するために、基板と、前記基板上に搭載され、かつ、白色光を発する複数の点状光源とを備え、前記点状光源の各々は、その色度に応じてＣＩＥ１９３１座標において色度ランクに区分され、隣り合う点状光源のうち、一方の点状光源は、平行四辺形をなす第１の色度ランクエリアに属し、他方の点状光源は、平行四辺形をなす第２の色度ランクエリアに属し、前記第１および第２の色度ランクエリアの一辺あるいは該一辺に平行でない他辺と、平行四辺形をなす目標の色度ランクエリアの一辺あるいは該一辺に平行でない他辺とがそれぞれ平行であって、前記目標の色度ランクエリアの一辺および他辺のうち、Ｘ軸に直接投影できる側の一辺のＸ軸に投影した色度座標の差であるＸ座標差をΔＸ、Ｙ軸に直接投影できる側の他辺のＹ軸に投影した色度座標の差であるＹ座標差をΔＹとし、前記第１の色度ランクエリアの一辺および他辺のうち、Ｘ軸に直接投影できる側の一辺のＸ軸に投影した色度座標の差であるＸ座標差をΔＸ１、Ｙ軸に直接投影できる側の他辺のＹ軸に投影した色度座標の差であるＹ座標差をΔＹ１とし、前記第２の色度ランクエリアの一辺および他辺のうち、Ｘ軸に直接投影できる側の一辺のＸ軸に投影した色度座標の差であるＸ座標差をΔＸ２、Ｙ軸に直接投影できる側の他辺のＹ軸に投影した色度座標の差であるＹ座標差をΔＹ２とすると、隣り合う点状光源は、混色によって前記目標の色度ランクエリアに入るようにΔＸ１＋ΔＸ２＝ΔＸ×２、かつ、ΔＹ１＋ΔＹ２＝ΔＹ×２の関係を満たし、なおかつ、前記第１の色度ランクエリアの中心と前記第２の色度ランクエリアの中心とは、前記目標の色度ランクエリアの中心を通る仮想直線であって前記目標の色度ランクエリアの一辺あるいは他辺に平行な仮想直線に対して軸対称であることを特徴とする発光モジュールを提供する。
【００１０】
なお、上記した各色度ランクエリアの一辺をＸ軸に直接投影できるとは、上記一辺の両端からＸ軸に対して垂直をなす線を下ろす際に、当該色度ランクエリアを跨がないという意味である。また、上記した各色度ランクエリアの他辺をＹ軸に直接投影できるとは、上記他辺の両端からＹ軸に対して垂直をなす線を下ろす際に、当該色度ランクエリアを跨がないという意味である。なお、交点を形成する一辺と他辺は、そのなす角度が９０度以下になるように一辺、他辺を選定してＸ軸、Ｙ軸へ投影する。
【００１１】
また、本発明は、前記本発明に係る発光モジュールと、筐体とを含み、前記複数の点状光源が前記基板上に一列に列設された発光モジュールを前記筐体上にマトリックス状に配置して形成された面光源も提供する。
【００１２】
本発明に係る発光モジュールおよび面光源によれば、前記隣り合う点状光源は、混色によって前記目標の色度ランクエリアに入るようにΔＸ１＋ΔＸ２＝ΔＸ×２、かつ、ΔＹ１＋ΔＹ２＝ΔＹ×２の関係を満たし、なおかつ、前記第１の色度ランクエリアの中心と前記第２の色度ランクエリアの中心とは、前記目標の色度ランクエリアの中心を通る仮想直線であって前記目標の色度ランクエリアの一辺あるいは他辺に平行な仮想直線に対して軸対称であるので、前記基板上に前記複数の点状光源を配列するに際して、隣り合う点状光源を、それらの光の混色が前記目標の色度ランクエリアに入るように配置することができ、これにより、全体としてほぼ均一な色調の照明光を得ることができる。
【００１３】
本発明において、前記一方の点状光源は、前記第１の色度ランクエリアに含まれる第３の色度ランクエリアであって前記第１の色度ランクエリアよりもサイズの小さい第３の色度ランクエリア内に属し、前記他方の点状光源は、前記第２の色度ランクエリアに含まれる第４の色度ランクエリアであって前記第２の色度ランクエリアよりもサイズの小さい第４の色度ランクエリア内に属する態様（ａ）を例示できる。
【００１４】
前記態様（ａ）では、前記一方の点状光源として、前記第１の色度ランクエリアよりもサイズの小さい前記第３の色度ランクエリアに属する点状光源を選定することができ、前記他方の点状光源として、前記第２の色度ランクエリアよりもサイズの小さい前記第４の色度ランクエリアに属する点状光源を選定することができる。
【００１５】
本発明において、前記一方および他方の点状光源は、それぞれ、前記第３および第４の色度ランクエリアに対して前記目標の色度ランクエリアの中心に対称な位置関係にある第５および第６の色度ランクエリアであって前記第３および第４の色度ランクエリアとそれぞれ同形である第５および第６の色度ランクエリアに属する態様（ｂ）を例示できる。
【００１６】
前記態様（ｂ）では、基板上で隣り合う点状光源の混色後の色度範囲（色度エリア）を小さくでき、発光モジュール面内での色度むらを低減できる。
【００１７】
本発明において、前記第３および第４の色度ランクエリアのいずれか一つは、少なくとも前記目標の色度ランクエリア内に配置されている態様（ｃ）を例示できる。
【００１８】
前記態様（ｃ）では、前記隣り合う点状光源での混色後の色度が前記目標の色度ランクエリア内に入り易くすることができ、それだけ色調ムラの発生を抑制することができる。
【００１９】
本発明において、前記第３の色度ランクエリアは、前記第４の色度ランクエリアとは離間している態様（ｄ）を例示できる。
【００２０】
前記態様（ｄ）では、色度が前記目標の色度ランクエリアからずれた点状光源の不良在庫を低減させることができる。
【００２１】
本発明において、前記第３の色度ランクエリアは、前記目標の色度ランクエリアを挟んで前記第５の色度ランクエリアと対向して配置されている態様（ｅ）を例示できる。
【００２２】
前記態様（ｅ）では、色度が前記目標の色度ランクエリアからずれた点状光源の不良在庫をさらに低減させることができる。
【００２３】
本発明において、前記第３の色度ランクエリアは、前記第５の色度ランクエリアと同一のエリアである態様（ｆ）を例示できる。
【００２４】
前記態様（ｆ）では、前記第３の色度ランクエリアに属する点状光源と前記第５の色度ランクエリアに属する点状光源との色調が互いに大きく異なることがないため、さらに隣接する点状光源の混色後の色度結果が目標色度ランクエリア内に入り、色調ムラの発生を抑制することが可能となる。
【００２５】
本発明において、前記第３および第４の色度ランクエリアは、四角形であって、前記第３の色度ランクエリアは、前記第４の色度ランクエリアと一辺を接して隣接して配置されている態様（ｇ）を例示できる。
【００２６】
前記態様（ｇ）では、前記一方の点状光源と前記他方の点状光源とにおいて近い色度ランクエリアに属する点状光源を選定することができる。この場合、量産された点状光源の色度ばらつきの分布が、目標の色度エリアから大きく外れたような色度ばらつき分布を含まない標準的な色度ばらつき分布である場合に、点状光源の在庫を無駄なく使用でき、隣り合う点状光源が目標の色度エリアに入るように調整できる配置方法に適用することができる。
【００２７】
本発明において、前記第４の色度ランクエリアは、前記目標の色度ランクエリア内にあって前記第６の色度ランクエリアと重複しない態様（ｈ）を例示できる。
【００２８】
前記態様（ｈ）では、前記隣り合う点状光源での混色後の色度が前記目標の色度ランクエリア内に入り易くすることができるだけでなく、前記第４の色度ランクエリアとは異なる前記第６の色度ランクエリアに属する点状光源を選定することができる。
【００２９】
本発明において、前記点状光源の実使用上の前記色度ランクエリアとしては、その一辺および該一辺に平行でない他辺が、それぞれ、前記目標の色度ランクエリアの一辺および該一辺に平行でない他辺と平行である平行四辺形である態様を例示できる。
【００３０】
この場合、前記第３の色度ランクエリアとして、さらにサイズを小さくするという観点から、前記平行四辺形の一部を切りかいた台形状である態様を例示できる。
【００３１】
本発明において、前記第３および第４の色度ランクエリアは、前記目標の色度ランクエリアより小さいサイズであることが好ましい。
【００３２】
前記点状光源の実使用上の前記目標の色度ランクエリアとしては、例えば、中心の色度点（Ｘｍ，Ｙｍ）に対して定義される４つの色度点（Ｘｍ＋０．０１，Ｙｍ＋０．０１）、（Ｘｍ−０．０１，Ｙｍ−０．０１）、（Ｘｍ＋０．０１，Ｙｍ−０．０１）、（Ｘｍ−０．０１，Ｙｍ＋０．０１）を頂点とする正方形の色度エリア内に設定されていることが好ましい。
【００３３】
本発明において、前記基板は、長手状のものとされており、前記複数の点状光源は、前記基板の長手方向に沿って直線上に配置されているものとすることができる。
【００３４】
この態様では、前記基板の設置態様により前記点状光源の設置態様が一義的に決まるため、前記点状光源の配置設計の容易化を実現することができる。
【００３５】
本発明において、前記複数の点状光源は、前記基板上に等間隔で配置されているものとすることができる。
【００３６】
この態様では、前記基板によって前記点状光源の配置態様が変更されないため、当該発光モジュールのサイズが変更されても前記基板を使いまわすことが可能となる。
【００３７】
本発明において、前記複数の点状光源は、同じ構成からなることが好ましい。
【００３８】
この態様では、前記複数の点状光源として、同一タイプの点状光源を用いることができ、これにより前記点状光源のコストを低減させることができる。
【００３９】
本発明において、前記点状光源は、発光ダイオードとすることができる。この場合、光源の長寿命化並びに低消費電力化などを実現することが可能となる。
【００４０】
前記点状光源は、青色発光チップに、黄色の領域に発光ピークを持つ蛍光体を塗布することにより白色発光する発光ダイオードとすることができる。
【００４１】
また、前記点状光源は、青色発光チップに、緑色および赤色の領域に発光ピークを持つ蛍光体を塗布することにより白色発光する発光ダイオードとすることができる。あるいは、前記点状光源は、青色発光チップに、緑色の領域に発光ピークを持つ蛍光体を塗布するとともに、赤色チップを組み合わせることにより白色発光する発光ダイオードとすることができる。
【００４２】
さらには、前記点状光源は、青色、緑色、および赤色の発光チップを組み合わせることにより白色発光する発光ダイオードとすることができる。
【００４３】
このような白色発光する発光ダイオードを用いる場合、白色の中でも例えば青味がかったりすることで色調にばらつきが生じ易い。そこで、本発明の構成を適用することにより、色調が全体として平均化され、ほぼ均一な色調の照明光を得ることが可能となる。
【００４４】
前記点状光源は、紫外光発光チップと蛍光体とからなるものとすることができる。特に、前記点状光源は、紫外光発光チップと、青色、緑色、および赤色の領域に発光ピークを持つ蛍光体とからなる。
【００４５】
このような光源においても、色調にばらつきが生じ易いものの、本発明の構成を適用することにより、色調が全体として平均化され、ほぼ均一な色調の照明光を得ることが可能となる。
【００４６】
前記基板には、前記点状光源を覆う形で、当該点状光源からの光を拡散可能な拡散レンズが取り付けられているものとすることができる。この場合、拡散レンズによって光が拡散されるため、隣り合う点状光源同士の間隔を大きくした場合にも、点状のランプイメージが発生し難い。したがって、配置する点状光源を削減することで低コスト化しつつ、ほぼ均一な輝度分布を得ることが可能となる。また、このような拡散レンズを設けることにより、各点状光源の光を混色することができ、色ムラの低減効果が得られるため、更なる色度均一性を図ることができる。
【００４７】
前記拡散レンズは、光を拡散可能な光拡散部材とすることができる。この場合、拡散レンズにより良好な光の拡散を行うことが可能となる。
【００４８】
前記拡散レンズは、前記基板側の面に表面粗し処理が施されているものとすることができる。このように、拡散レンズに例えばシボ処理等の表面粗し処理を行うことにより、より一層良好な光の拡散を行うことが可能となる。
【００４９】
本発明に係る面光源において、ほぼ均一な色調の照明光を良好に得ることができるように、前記態様（ａ）から前記態様（ｈ）までの少なくとも一つの態様の第１発光モジュールおよび前記態様（ａ）から前記態様（ｈ）までの少なくとも一つの態様の第２発光モジュールが前記筐体上に前記点状光源の列設方向に直交する方向に隣り合って配置されていることが好ましい。
【００５０】
また、本発明に係る面光源において、ほぼ均一な色調の照明光を良好に得ることができるように、前記点状光源の列設方向に直交する方向に隣り合っている発光モジュールのどちらか少なくとも一方が前記態様（ａ）から前記態様（ｈ）までの少なくとも一つの態様の第３発光モジュールであることが好ましい。
【００５１】
本発明に係る面光源において、前記筐体の周縁に配置された発光モジュールの前記筐体周縁側には、前記目標の色度ランクエリアに含まれる色度ランクエリアに属する点状光源が配置された発光モジュールを使用することが好ましい。
【００５２】
本発明に係る面光源において、前記点状光源が前記筐体上あるいは前記筐体上に設置した該筐体と同型の基板上にマトリックス状に配置されている態様を例示できる。
【００５３】
また、本発明に係る面光源において、前記本発明に係る発光モジュールは、コネクタを介して接続されていてもよい。
【００５４】
なお、本発明に係る面光源において、隣り合う前記発光モジュール間での隣り合う点状光源に対して前記発光モジュール内の前記隣り合う点状光源の前述した配置要件を適用してもよい。
【００５５】
また、本発明は、前記本発明に係る面光源と光学シートと液晶パネルとを備えた液晶表示装置も提供する。前記液晶パネルは、前記面光源からの光を利用して表示を行うものである。前記光学シートとしては、前記面光源からの光の面内での輝度、色度むらの低減するように光を散乱あるいは均一化したり、表示方向への輝度を向上させたりする機能を有するものを例示でき、例えば、複数枚用意されているものとすることができる。本発明に係る発光モジュール内での点状光源配置ルールの採用によって、前記光学シートの枚数を減らすことができ、部材コストを低減することができる。
【００５６】
本発明に係る液晶表示装置によると、前記本発明に係る面光源において全体としてほぼ均一な色調の照明光が得られるため、当該液晶表示装置においても表示ムラが抑制された良好な表示を実現することが可能となる。
【００５７】
本発明に係る液晶表示装置として、種々の用途、例えばテレビやパソコンのディスプレイ等に適用でき、特に大型画面用として好適である。
【００５８】
また、本発明は、前記本発明に係る面光源と拡散板とを備えた照明装置も提供する。
【００５９】
本発明に係る照明装置によると、前記本発明に係る面光源において全体としてほぼ均一な色調の照明光が得られるため、当該照明装置においても表示ムラが抑制された良好な表示を実現することが可能となる。
【００６０】
前記点状光源は、電気的に直列に接続されているものとすることができる。これにより、各点状光源に供給される電流を同一とすることができ、各点状光源からの発光量を均一化することができるため、当該照明装置の照明面における輝度均一性を向上させることが可能となる。なお、前記点状光源は、並列接続してもよいし、並直列の接続でもよい。
【発明の効果】
【００６１】
以上説明したように、本発明によると、前記隣り合う点状光源は、混色によって前記目標の色度ランクエリアに入るようにΔＸ１＋ΔＸ２＝ΔＸ×２、かつ、ΔＹ１＋ΔＹ２＝ΔＹ×２の関係を満たし、なおかつ、前記第１の色度ランクエリアの中心と前記第２の色度ランクエリアの中心とは、前記目標の色度ランクエリアの中心を通る仮想直線であって前記目標の色度ランクエリアの一辺あるいは他辺に平行な仮想直線に対して軸対称であるので、前記基板上に前記複数の点状光源を配列するに際して、前記隣り合う点状光源を、それらの光の混色が前記目標の色度ランクエリアに入るように配置することができ、これにより、全体としてほぼ均一な色調の照明光を得ることができる発光モジュール、面光源、液晶表示装置および照明装置を提供することができる。
【図面の簡単な説明】
【００６２】
【図１】本発明の一実施形態に係る液晶表示装置を備えたテレビ受信装置の概略構成を示す分解斜視図である。
【図２】テレビ受信装置における液晶表示装置の概略構成を示す分解斜視図である。
【図３】液晶表示装置の概略構成を示す断面図である。
【図４】発光モジュールを概略的に示す断面図である。
【図５】照明モジュールにおける一部の発光モジュールを概略的に示す図であって、（ａ）は、その平面図であり、（ｂ）は、その側面図である。
【図６】発光モジュールがマトリクス状に形成されている状態を示す平面図である。
【図７】ＣＩＥ（国際照明委員会）による１９３１年策定の色度図である。
【図８】蛍光体に赤色蛍光体、緑色蛍光体を使用した量産品の各白色ＬＥＤの色度値を図７に示す色度図上にプロットしたＣＩＥ１９３１座標において、ほぼ目標の色度ランクエリアに入っている状態を示す色度図であって、（ａ）は、その一例を示す図であり、（ｂ）は、他の例を示す図である。
【図９】蛍光体に赤色蛍光体、緑色蛍光体を使用した量産品の各白色ＬＥＤの色度値を図７に示す色度図上にプロットしたＣＩＥ１９３１座標において、図８の例から直線状のばらつき方向の中心がずれた状態を示す色度図であって、（ａ）は、その一例を示す図であり、（ｂ）は、他の例を示す図である。
【図１０】色度ランクエリアの設定による白色ＬＥＤの配列方法を説明するためのＣＩＥ１９３１座標を示すグラフである。
【図１１】設定事例１で設定される色度ランクエリアの一例を示すＣＩＥ１９３１座標のグラフである。
【図１２】設定事例１で設定される色度ランクエリアの一例を示すＣＩＥ１９３１座標のグラフである。
【図１３】設定事例２で設定される色度ランクエリアの一例を示すＣＩＥ１９３１座標のグラフである。
【図１４】設定事例２で設定される色度ランクエリアの一例を示すＣＩＥ１９３１座標のグラフである。
【図１５】白色ＬＥＤのＬＥＤ基板上への配列方法を説明するための説明図であって、（ａ）から（ｃ）は、第１から第３タイプの発光モジュールのＬＥＤ基板における白色ＬＥＤの配列構成を示す図であり、（ｄ）から（ｆ）は、第４から第６タイプの発光モジュールのＬＥＤ基板における白色ＬＥＤの配列構成を示す図である。
【図１６】第１タイプの発光モジュールおよび第２タイプの発光モジュールにおいて隣り合う白色ＬＥＤ間での混色後の色度ランクエリアを示すＣＩＥ１９３１座標のグラフである。
【図１７】第４タイプの発光モジュールおよび第５タイプの発光モジュールにおいて隣り合う白色ＬＥＤ間での混色後の色度ランクエリアを示すＣＩＥ１９３１座標のグラフである。
【図１８】列方向において隣り合う発光モジュール間の組合せ事例の第１から第４パターンを示すパターン図である。
【図１９】列方向において隣り合う発光モジュール間の組合せ事例の第５から第８パターン５〜８を示すパターン図である。
【図２０】列方向において隣り合う発光モジュール間の組合せ事例の第９から第１２パターンを示すパターン図である。
【図２１】列方向において隣り合う発光モジュール間の組合せ事例の第１３から第１６パターンを示すパターン図である。
【図２２】代表的な事例の第６パターンについて、発光モジュール間での混色後の色度ばらつき範囲を示すＣＩＥ１９３１座標のグラフである。
【図２３】代表的な事例の第９パターンについて、発光モジュール間での混色後の色度ばらつき範囲を示すＣＩＥ１９３１座標のグラフである。
【図２４】代表的な事例の第１１パターンについて、発光モジュール間での混色後の色度ばらつき範囲を示すＣＩＥ１９３１座標のグラフである。
【図２５】代表的な事例の第１３パターンについて、発光モジュール間での混色後の色度ばらつき範囲を示すＣＩＥ１９３１座標のグラフである。
【図２６】代表的な事例の第１５パターンについて、発光モジュール間での混色後の色度ばらつき範囲を示すＣＩＥ１９３１座標のグラフである。
【図２７】代表的な事例の第１６パターンについて、発光モジュール間での混色後の色度ばらつき範囲を示すＣＩＥ１９３１座標のグラフである。
【図２８】コネクタを介して隣り合う発光モジュールを配置する配置構成を示す配置構成図であって、（ａ）は、ＬＥＤ基板上に搭載する白色ＬＥＤが偶数個の場合を例示した図であり、（ｂ）から（ｇ）は、ＬＥＤ基板上に搭載する白色ＬＥＤが奇数個の場合を例示した図である。
【図２９】面光源と拡散板とを備えた照明装置の概略構成を示す断面図である。
【発明を実施するための形態】
【００６３】
以下、本発明に係る実施の形態について図面を参照しながら説明する。なお、以下の実施の形態は、本発明を具体化した例であって、本発明の技術的範囲を限定する性格のものではない。
【００６４】
まず、液晶表示装置１０を備えたテレビ受信装置ＴＶの構成について説明する。図１は、本発明の一実施形態に係る液晶表示装置１０を備えたテレビ受信装置ＴＶの概略構成を示す分解斜視図である。
【００６５】
図２は、テレビ受信装置ＴＶにおける液晶表示装置１０の概略構成を示す分解斜視図である。また、図３は、液晶表示装置１０の概略構成を示す断面図である。
【００６６】
テレビ受信装置ＴＶは、図１に示すように、液晶表示装置１０と、液晶表示装置１０を挟むようにして収容する表裏両キャビネットＣａ，Ｃｂと、電源Ｐと、チューナーＴと、スタンドＳとを備えている。
【００６７】
液晶表示装置１０は、全体として横長の方形を成し、縦置き状態で収容されている。液晶表示装置１０は、図２に示すように、液晶パネル１１と、外部光源であるバックライト装置（照明装置の一例）１２とを備え、これらが枠状のベゼル１３などの保持部材により一体的に保持されるようになっている。
【００６８】
次に、液晶表示装置１０を構成する液晶パネル１１およびバックライト装置１２について説明する。
【００６９】
液晶パネル１１は、詳細な構成要素については図示を省略しているが、一対のガラス基板が所定のギャップを隔てた状態で貼り合わせられるとともに、両ガラス基板間に液晶が封入された構成とされる。
【００７０】
一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。なお、両基板の外側には偏光板が配されている。
【００７１】
バックライト装置１２は、図２に示すように、光出射面側（液晶パネル１１側）に開口した略箱型をなすシャーシ１４（筐体の一例）と、シャーシ１４の開口部を覆うようにして配される光学シート群１５（拡散板１５ａと、拡散板１５ａと液晶パネル１１との間に配される１又は複数の光学シート１５ｂ）と、シャーシ１４の外縁に沿って配され、かつ、拡散板１５ａの外縁部をシャーシ１４との間で挟んで保持するフレーム１６とを備えている。さらに、シャーシ１４内には、白色発光する複数の発光ダイオード（点状光源の一例、以下白色ＬＥＤと称する）１７と、複数の白色ＬＥＤ１７を搭載するＬＥＤ基板（基板の一例）２０とを備えた発光モジュール５０が配置されている。なお、バックライト装置１２においては、白色ＬＥＤ１７に対して拡散板１５ａ側が光出射側となっている。
【００７２】
シャーシ１４は、金属製とされ、液晶パネル１１と同様に矩形状をなす底板１４ａと、底板１４ａの各辺の外端から立ち上がる側板１４ｂと、各側板１４ｂの立ち上がり端から外向きに張り出す受け板１４ｃとを有し、全体として表側に向けて開口した浅い略箱型をなしている。
【００７３】
図４は、発光モジュール５０を概略的に示す断面図である。図４に示すように、発光モジュール５０は、レンズ部材２１（以下拡散レンズと称する）を備えている。拡散レンズ２１は、白色ＬＥＤ１７から放出される光の配光特性の角度を拡げるために白色ＬＥＤ１７上に配置されている。これは、隣り合う白色ＬＥＤ１７，１７間の光の混色性を高め、後述する面光源７０（図２参照）としての発光輝度および／または色度むらを低減するためである。
【００７４】
拡散レンズ２１は、ＬＥＤ基板（実装基板）２０に固定されている。拡散レンズ２１上にはさらに輝度／色度ムラを低減するための光学シート、直上方向の輝度を向上させる光学シートなどが配置される。これら光学シート上に液晶パネル１１が配置される。なお、拡散レンズ２１を使用する代わりに光拡散シートを使用したり、配光特性の角度を拡げた点状光源を使用したりしてもよい。
【００７５】
詳しくは、シャーシ１４の受け板１４ｃには、フレーム１６が載置されており、受け板１４ｃとフレーム１６との間で光学シート群１５の外縁部が挟持されている。
【００７６】
シャーシ１４の開口部側には拡散板１５ａおよび光学シート１５ｂとからなる光学シート群１５が配設されている。拡散板１５ａは、合成樹脂製の板状部材に光散乱粒子が分散配合されてなり、白色ＬＥＤ１７から出射される点状の光を拡散する機能を有する。拡散板１５ａの外縁部は前述したようにシャーシ１４の受け板１４ｃ上に載置されており、上下方向の強固な拘束力を受けないものとされている。
【００７７】
拡散板１５ａ上に配される光学シート１５ｂは、拡散板１５ａに比して板厚が薄いシート状をなしており、２枚が積層して配されている。光学シート１５ｂの具体的な種類としては、例えば拡散シート、レンズシート、反射型偏光シートなどがあり、これらの中から適宜選択して使用することが可能である。この光学シート１５ｂは、白色ＬＥＤ１７から出射され、拡散板１５ａを通過した光を面状の光とする機能を有する。光学シート１５ｂの上面側には液晶パネル１１が設置されている。
【００７８】
さらに、シャーシ１４の底板１４ａの内面側には、白色ＬＥＤ１７および拡散レンズ２１が取り付けられたＬＥＤ基板２０が設置されている。ＬＥＤ基板２０は、合成樹脂製であり、その表面に銅箔などの金属膜からなる配線パターンが形成された構成とされる。
【００７９】
本実施の形態において、ＬＥＤ基板２０は、長手状のものとされている。発光モジュール５０は、長方形状のＬＥＤ基板２０の表面に配線パターン（図示せず）とＬＥＤ基板２０の長手方向に沿って複数のランドパターン（図示せず）とが形成されている。
【００８０】
ＬＥＤ基板２０上には、白色ＬＥＤ１７が複数（図示例では５個）搭載されている。白色ＬＥＤ１７は、ここでは、青色ＬＥＤ（発光）チップが赤、緑色蛍光体を含有する封止樹脂で覆われた点状光源とされている。
【００８１】
白色ＬＥＤ１７は、行方向（図中矢印方向Ａ）、ここではＬＥＤ基板２０の長手方向に沿って直線上に（一列に）配置されている。白色ＬＥＤ１７は、ＬＥＤ基板２０上に等間隔で表面実装されている。また、各白色ＬＥＤ１７は、同じ構成（構造）からなる光源装置とされている。各白色ＬＥＤ１７は、ＬＥＤ基板２０に形成された配線パターンにより電気的に直列に接続されている。
【００８２】
白色ＬＥＤ１７の配列方向（行方向Ａ）において発光モジュール５０を複数台（図示例では６台）並べたものが照明モジュール６０とされている。
【００８３】
図５は、照明モジュール６０における一部の発光モジュール５０を概略的に示す図である。図５（ａ）は、その平面図を示しており、図５（ｂ）は、その側面図を示している。なお、図５において、拡散レンズ２１は図示を省略している。
【００８４】
照明モジュール６０は、隣り合う発光モジュール５０の行方向Ａ（長手方向）の両端部における配線パターンを電気的・物理的に接続するためのコネクタ２２を有している。
【００８５】
発光モジュール５０は、行方向Ａ（シャーシ１４の長辺方向）に沿って、複数（図示例では６個）のＬＥＤ基板２０，…，２０同士がその長手方向を同じくした形で配置され、互いにコネクタ２２により電気的・物理的に接続されている。これにより照明モジュール６０を構成することができる。照明モジュール６０における白色ＬＥＤ１７のピッチを等しくしてもよい。
【００８６】
また、照明モジュール６０は、シャーシ１４において、行方向Ａに直交する列方向（図中矢印Ｂ方向）に沿って配置されている。すなわち、発光モジュール５０は、行方向Ａおよび列方向Ｂにマトリクス状に形成されている。
【００８７】
図６は、発光モジュール５０がマトリクス状に形成されている状態を示す平面図である。なお、図６において、発光モジュール５０上に付されている符号α０，β０，γ０，α１，β１，γ１については、のちほど詳しく説明する。
【００８８】
図６に示すように、照明モジュール６０は、列方向（シャーシ１４の短辺方向）Ｂに沿って、複数（図示例では１０個）並設されている。これにより面光源７０を構成することができる。面光源７０における白色ＬＥＤ１７のピッチを等しくしてもよい。
【００８９】
なお、ＬＥＤ基板２０には、図示しない外部の制御ユニットが接続されていて、該制御ユニットから白色ＬＥＤ１７の点灯に必要な電力が供給されるとともに白色ＬＥＤ１７の駆動制御が可能となっている。
【００９０】
ところで、白色ＬＥＤ１７は、パッケージに収納あるいは基板上に搭載された青色を単色発光する青色ＬＥＤチップの周囲を赤色蛍光体および緑色蛍光体が配合された透光性封止樹脂で封止することで白色発光するものとされている。なお、蛍光体は黄色蛍光体でもよい。また、白色ＬＥＤ１７は、例えば黄色の領域に発光ピークを持つ蛍光体を塗布することで白色発光するものとしてもよい。また、白色ＬＥＤ１７は、例えば青色発光チップに、緑色および赤色の領域に発光ピークを持つ蛍光体を塗布することにより白色発光するものとしてもよい。また、白色ＬＥＤ１７は、青色発光チップに、緑色の領域に発光ピークを持つ蛍光体を塗布するとともに、赤色チップを組み合わせることにより白色発光するものとしてもよい。さらには、白色ＬＥＤ１７は、青色、緑色、および赤色の発光チップを組み合わせることにより白色発光するものとしてもよい。
【００９１】
このような白色ＬＥＤ１７は、全て同一色調の白色となるわけではなく、蛍光体の配合量、蛍光体を含有する封止樹脂の厚み、青色ＬＥＤチップ自体の特性のばらつきなどによって蛍光光とＬＥＤ光（青色光）の強度比の変化で波長スペクトルが変化し、通常は白色内において色度のばらつきが生じる。このため、各白色ＬＥＤは、その色度に応じてＣＩＥ１９３１座標において色度ランクに区分されている。図７は、ＣＩＥ（国際照明委員会）による１９３１年策定の色度図である。
【００９２】
本実施形態における各々の白色ＬＥＤ１７の色調は、例えば、図７のＣＩＥ１９３１座標内における実線で囲まれた領域Ｒの範囲内でばらついている。
【００９３】
図８は、蛍光体に赤色蛍光体、緑色蛍光体を使用した量産品の各白色ＬＥＤ１７の色度値を図７に示す色度図上にプロットしたＣＩＥ１９３１座標において、ほぼ目標の色度ランクエリアＭに入っている状態を示す図である。図８（ａ）は、その一例を示しており、図８（ｂ）は、他の例を示している。
【００９４】
また、図９は、蛍光体に赤色蛍光体、緑色蛍光体を使用した量産品の各白色ＬＥＤ１７の色度値を図７に示す色度図上にプロットしたＣＩＥ１９３１座標において、図８の例から直線状のばらつき方向の中心がずれた状態を示す図である。図９（ａ）は、その一例を示しており、図９（ｂ）は、他の例を示している。
【００９５】
図８および図９において、色度ばらつきが許容される色度ランクエリア、すなわち目標の色度ランクエリアＭであり、このエリアの中心が色度目標値である。
【００９６】
図８の例では、色度ばらつきは、中心がほぼ色度目標値と一致しており、色度座標上の黒体輻射線の直線状部分に沿うような色度ばらつきとなっている。ただし、色度ばらつきは、必ずしも、黒体輻射線に平行ではない場合もあり、Ｘ軸、Ｙ軸の間の斜め方向に伸びるように分布する。例えば、青色（ここでは青色ＬＥＤチップからの光）と黄色（ここでは蛍光光、具体的には赤色と緑色との混色）との間で色が推移する。この方向のばらつきは、一般的に封止樹脂の厚みや青色ＬＥＤチップ輝度ばらつきなどによって生じるものとされる。
【００９７】
また、色度座標上の黒体輻射線の直線状部分に略垂直な方向のばらつきは、一般的に青色ＬＥＤチップのピーク波長などによるものとされる。
【００９８】
図９（ａ）の例では、図８の例から直線状のばらつき方向の中心がずれている。この方向のばらつきは、通常は封止樹脂の塗布工程などや塗布材料入れ替えなどで、蛍光体の配合量、封止樹脂厚みが大きくずれた場合などにより生じるものとされている。
【００９９】
図９（ｂ）の例では、直線状のばらつき方向に対して図９（ａ）の例からさらに平行にずれている。この方向のばらつきは、通常は蛍光体の配合比（例えば緑色蛍光体および赤色蛍光体による２種の緑色光および赤色光の強度比）が変化して図８の例からずれたため生じたものとされている。
【０１００】
本実施の形態は、白色ＬＥＤ１７を複数配置して発光モジュール５０を構成する場合、図８に示すように色度がほぼ目標の色度ランクエリアＭに入るような白色ＬＥＤだけでなく、図９に示すように色度が目標の色度ランクエリアＭからずれた白色ＬＥＤも配置して発光モジュール５０を構成して面光源７０として色度むらが生じないようにしたものである。
【０１０１】
これにより、色度が目標の色度ランクエリアＭから大きくずれた白色ＬＥＤの不良在庫を低減できるので、コスト低減を実現できる。発光モジュール５０を単独又は連設して線光源として用いてもよい。面光源７０上や線光源上には、最小限の光を拡散させる拡散板や光学シートを使用することが好ましい。
【０１０２】
本実施の形態に係る発光モジュール５０は、例えば、図８および図９といった分布を混合した状態で複数の白色ＬＥＤ１７が用意される。この分布を色度ランクに区分けし、ランクデータに基づき、後述する配列ルールに従って白色ＬＥＤ１７を選定してＬＥＤ基板２０に配置していく。
【０１０３】
本実施の形態に係る発光モジュール５０において、各白色ＬＥＤ１７は、その色調に応じてＣＩＥ１９３１座標において四角形（具体的には平行四辺形）をなす色度ランクに区分されている。
【０１０４】
色度ランク分け方法は、複数あって、各白色ＬＥＤ１７に複数のランクデータが付与されていてもよい。次に、色度ランクエリアの設定による白色ＬＥＤ１７の配列方法の基本的な考え方について図１０を参照しながら説明する。
【０１０５】
＜色度ランクエリアの設定による白色ＬＥＤの配列方法の基本的な考え方＞
ＬＥＤ基板２０上に白色ＬＥＤ１７を配列するに際して、隣り合う白色ＬＥＤ１７を、その光の混色（隣り合う白色ＬＥＤ１７，１７の色度の平均値）が目標の色度ランクエリアＭに入るように選定、配置することで、全体としてほぼ均一な色調の照明光が得られる。白色ＬＥＤ１７の配列方法は、かかる知見に基づくものである。
【０１０６】
図１０は、色度ランクエリアの設定による白色ＬＥＤ１７の配列方法を説明するためのＣＩＥ１９３１座標を示すグラフである。なお、本実施の形態では、目標の色度ランクエリアＭ、第１の色度ランクエリアｇ及び第２の色度ランクエリアＥは何れも平行四辺形とされているが、図１０では、計算を簡単化するため、ＣＩＥ１９３１座標上で、各色度ランクエリアは、長方形状で直交座標に平行になるように示している。
【０１０７】
図１０に示すように、隣り合う白色ＬＥＤ１７，１７のうち、一方の白色ＬＥＤ１７は、平行四辺形をなす第１の色度ランクエリアｇに属しており、他方の白色ＬＥＤ１７は、平行四辺形をなす第２の色度ランクエリアＥに属している。
【０１０８】
第１および第２の色度ランクエリアｇ，Ｅの一辺あるいは該一辺に平行でない他辺（該一辺に隣接する他辺）と、平行四辺形をなす目標の色度ランクエリアＭの一辺あるいは該一辺に平行でない他辺（該一辺に隣接する他辺）とが平行である。
【０１０９】
ここで、目標の色度ランクエリアＭの一辺および他辺のうち、Ｘ軸に直接投影できる側の一辺ＭｘのＸ軸に投影した色度座標の差であるＸ座標差をΔＸとし、Ｙ軸に直接投影できる側の他辺ＭｙのＹ軸に投影した色度座標の差であるＹ座標差をΔＹとする。
【０１１０】
また、第１の色度ランクエリアｇの一辺および他辺のうち、Ｘ軸に直接投影できる側の一辺ｇｘのＸ軸に投影した色度座標の差であるＸ座標差をΔＸ１とし、Ｙ軸に直接投影できる側の他辺ｇｙのＹ軸に投影した色度座標の差であるＹ座標差をΔＹ１とする。
【０１１１】
また、第２の色度ランクエリアＥの一辺および他辺のうち、Ｘ軸に直接投影できる側の一辺ＥｘのＸ軸に投影した色度座標の差であるＸ座標差をΔＸ２とし、Ｙ軸に直接投影できる側の他辺ＥｙのＹ軸に投影した色度座標の差であるＹ座標差をΔＹ２とする。
【０１１２】
そして、混色によって目標の色度ランクエリアＭに入るように、ΔＸ１＋ΔＸ２＝ΔＸ×２、かつ、ΔＹ１＋ΔＹ２＝ΔＹ×２の関係を満たし、なおかつ、第１の色度ランクエリアｇの中心ｇｃと第２の色度ランクエリアＥの中心Ｅｃとは、目標の色度ランクエリアＭの中心Ｍｃを通る仮想直線ｇＥ１，ｇＥ２であって目標の色度ランクエリアＭの一辺あるいは他辺に平行な仮想直線ｇＥ１，ｇＥ２に対して軸対称となるように、色度ランクエリアｇ、Ｅを設定する。
【０１１３】
なお、目標の色度ランクエリアＭは、第１の色度ランクエリアｇと第２の色度ランクエリアＥとにそれぞれ属する任意の色度の白色ＬＥＤを隣接して配置させた場合に、隣接する白色ＬＥＤの混色結果が取りうる色度エリアでもある。
【０１１４】
図１０に示す例では、色度ばらつきがＹ軸方向に平行であると仮定している。この場合、各エリアに１辺の幅は、図１０に示した通りである。これに従うと、次の通りの関係式になる。
【０１１５】
すなわち、第１の色度ランクエリアｇの中点ｇｃと、第２の色度ランクエリアＥの中点Ｅｃとは、次の（ａ）〜（ｄ）の関係を満たす最大サイズのエリアｇ，Ｅ内にある第３および第４の色度ランクエリアｇ１，Ｅ１内にある白色ＬＥＤ１７，１７同士を組み合わせれば、必ず目標の色度ランクエリアＭ内に入る。
（ａ）ΔＸ１＋ΔＸ２＝ΔＸ×２
∵ΔＸ−ΔＸ１＝ΔＸ２−ΔＸ＝Ｘ１＋Ｘ２
（ｂ）ΔＹ１＋ΔＹ２＝ΔＹ×２
∵ΔＹ１＋Ｙ２−ΔＹ＝Ｙ１、Ｙ１−ΔＹ＝Ｙ２−ΔＹ２
（ｃ）ＸｃＥ＝Ｘｃｇ
∵式（ａ）とＸｃＥ＝Ｘ１＋ΔＸ／２−ΔＸ２／２、Ｘｃｇ＝Ｘ１−ΔＸ／２＋ΔＸ１／２
（ｄ）ＹｃＥ＝Ｙｃｇ
∵式（ｂ）とＹｃＥ＝Ｙ２−ΔＹ２／２＋ΔＹ／２、Ｙｃｇ＝ΔＹ１／２−（ΔＹ／２−Ｙ２）
ここで、式（ｃ）および式（ｄ）は、第１および第２の色度ランクエリアｇ，Ｅの中心ｇｃ，Ｅｃが、目標の色度ランクエリアＭの中心Ｍｃを通る仮想直線ｇＥ１、仮想直線ｇＥ２に対して対称となることを意味している。
【０１１６】
つまり、第１および第２の色度ランクエリアｇ，Ｅにそれぞれ属する任意の色度の白色ＬＥＤを隣接させた場合に、その混色結果が目標の色度ランクエリアＭに必ず入るようにするには、第１および第２の色度ランクエリアｇ，Ｅの同じ方向（Ｘ，Ｙ）に一辺の合計は、目標の色度ランクエリアＭの同じ方向に１辺の２倍となる必要がある。
【０１１７】
さらに、第１および第２の色度ランクエリアｇ，Ｅの中心ｇｃ，Ｅｃは、目標の色度ランクエリアＭの中心Ｍｃを通るＸ方向に平行な軸（仮想直線）ｇＥ１、あるいは、Ｙ方向に平行な軸（仮想直線）ｇＥ２に対して対称な位置にある必要がある。
【０１１８】
この第１および第２の色度ランクエリアｇ，Ｅ内に第３および第４の色度ランクエリアｇ１，Ｅ１を設定すれば、色度ランクエリアのサイズ、形状に関係なく、第３および第４の色度ランクエリアｇ１，Ｅ１にそれぞれ属する任意の色度の白色ＬＥＤを隣接させた場合、その混色結果は、必ず、目標の色度ランクエリアＭに入る。
【０１１９】
また、式（ｃ）および式（ｄ）は、別の見方をすると第１および第２の色度ランクエリアｇ，Ｅの中心ｇｃ，Ｅｃが、目標の色度ランクエリアＭの中心Ｍｃに対して点対称な位置にあることを示しているともいえる。
【０１２０】
第３および第４の色度ランクエリアｇ１，Ｅ１は、それぞれ、第１および第２の色度ランクエリアｇ、Ｅ内にあれば、サイズ、位置、形状は問わないが、実際には、分類しやすい四角形状とすることが好ましい。
【０１２１】
なお、第１および第２の色度ランクエリアｇ、Ｅをランクエリアとして設定した場合、第１の色度ランクエリアｇと第２の色度ランクエリアＥにそれぞれ属する任意の色度の白色ＬＥＤを隣接させた場合、その混色後の結果は、目標の色度ランクエリアＭそのものになる。
【０１２２】
このように、本実施の形態に係る発光モジュール５０によれば、隣り合う白色ＬＥＤ１７，１７は、混色によって目標の色度ランクエリアＭに入るようにΔＸ１＋ΔＸ２＝ΔＸ×２、かつ、ΔＹ１＋ΔＹ２＝ΔＹ×２の関係を満たし、なおかつ、第１の色度ランクエリアｇの中心ｇｃと第２の色度ランクエリアＥの中心Ｅｃとは、仮想直線ｇＥ１，ｇＥ２に対して軸対称（中心Ｍｃを中心とした点対称）であるので、ＬＥＤ基板２０上に白色ＬＥＤ１７を配列するに際して、隣り合う白色ＬＥＤ１７，１７を、その光の混色が目標の色度ランクエリアＭに入るように選定、配置することができ、これにより、全体としてほぼ均一な色調の照明光を得ることができる。
【０１２３】
次に、実際の色度ランクエリア設定事例について図１１から図１４を参照しながら説明する。
【０１２４】
＜実際の色度ランクエリア設定事例＞
ここでは、白色ＬＥＤ１７の色度ばらつき分布事例に対して設定した二つの設定事例１，２について説明する。
【０１２５】
設定事例１は、図８に示すような、ほぼ目標の色度ランクエリアＭに納まる色度ばらつき分布を有する白色ＬＥＤ１７に対して設定した事例である。設定事例２は、図９に示すような目標の色度ランクエリアＭからずれた色度ばらつき分布を有する白色ＬＥＤ１７に対して設定した事例である。
【０１２６】
実際には、図８および図９の分布を混在させる形で、白色ＬＥＤ１７が用意されているので、設定事例１，２の両方のランク分けがされた白色ＬＥＤ１７もある。
【０１２７】
図１１および図１２は、設定事例１で設定される色度ランクエリアの一例を示すＣＩＥ１９３１座標のグラフである。また、図１３および図１４は、設定事例２で設定される色度ランクエリアの一例を示すＣＩＥ１９３１座標のグラフである。
【０１２８】
なお、図１１および図１３において、第２の色度ランクエリアＥは、一部を省略して示しているが、実際には目標の色度ランクエリアＭの中心Ｍｃを対称点とした第１の色度ランクエリアｇに対する点対称となる位置とされている。また、図１１及び図１３で、第１、第２の色度ランクエリアｇ、Ｅは、各図毎に全く別の色度エリア範囲に設定している。
【０１２９】
［色度ランクエリア設定事例１，２の共通事項］
設定事例１，２においては、隣り合う白色ＬＥＤ１７，１７の一方の白色ＬＥＤ１７は、第１の色度ランクエリアｇに含まれる第３の色度ランクエリア（図１１および図１２でｅ０，図１３および図１４でｆ１）内に属している。第３の色度ランクエリア（ｅ０，ｆ１）は、第１の色度ランクエリアｇよりもサイズの小さいエリアとされている。
【０１３０】
また、隣り合う白色ＬＥＤ１７，１７の他方の白色ＬＥＤ１７は、第２の色度ランクエリアＥに含まれる第４の色度ランクエリア（図１１および図１２でｆ０，図１３および図１４でｅ１）内に属している。第４の色度ランクエリア（ｆ０，ｅ１）は、第２の色度ランクエリアＥよりもサイズの小さいサイズとされている。ここで、第１の色度ランクエリアｇ、第２の色度ランクエリアＥは、前述の＜色度ランクエリアの設定による白色ＬＥＤの配列方法の基本的な考え方＞に基づき、基板上で隣り合う白色ＬＥＤ１７，１７の混色結果が目標の色度エリアＭに入るようにするために、白色ＬＥＤ１７，１７がそれぞれとるべき色度範囲（色度ランクエリア）を示したものである。
【０１３１】
また、設定事例１，２においては、隣り合う白色ＬＥＤ１７，１７のうちの一方および他方の白色ＬＥＤ１７，１７は、それぞれ、第３の色度ランクエリア（ｅ０，ｆ１）および第４の色度ランクエリア（ｆ０，ｅ１）に対して目標の色度ランクエリアＭの中心Ｍｃに点対称な位置関係にある第５の色度ランクエリア（図１１および図１２でｅ０，図１３および図１４でｄ１）および第６の色度ランクエリア（図１１および図１２でｄ０，図１３および図１４でｅ３）に属している。第５の色度ランクエリア（ｅ０，ｄ１）および第６の色度ランクエリア（ｄ０，ｅ３）は、それぞれ、第３の色度ランクエリア（ｅ０，ｆ１）および第４の色度ランクエリア（ｆ０，ｅ１）と同形とされている。なお、図１３および図１４中の符号ｅ２，ｅ４は、それぞれ、第２の色度ランクエリアＥ、第１の色度ランクエリアｇに含まれる第７および第８の色度ランクエリアであり、目標の色度ランクエリアＭの中心Ｍｃに点対称な位置関係にあって、さらに、前記仮想直線ｇＥ２に対して第４、第６の色度ランクエリアｅ１，ｅ３と軸対称な位置関係にある。
【０１３２】
また、設定事例１，２においては、第３の色度ランクエリア（ｅ０，ｆ１）は、その一辺および該一辺に平行でない他辺が、それぞれ、目標の色度ランクエリアＭの一辺および該一辺に平行でない他辺と平行である平行四辺形とされている。なお、設定事例２においては、第３の色度ランクエリアｆ１は、図１３および図１４に示す如く、平行四辺形の一部を切りかいた台形状とされていてもよい。この場合、第５の色度ランクエリアｄ１は、第３の色度ランクエリアｆ１に対して目標の色度ランクエリアＭの中心Ｍｃに対称な位置関係にあるので、第５の色度ランクエリアｄ１も、図１３および図１４に示す如く、平行四辺形の一部を切りかいた台形状とされる。
【０１３３】
また、設定事例１，２においては、第３の色度ランクエリア（ｅ０，ｆ１）および第４の色度ランクエリア（ｆ０，ｅ１）は、目標の色度ランクエリアＭより小さいサイズのエリアとされている。
【０１３４】
なお、目標の色度ランクエリアＭは、白色ＬＥＤの設定色度点（中心Ｍｃと一致、色度点（０．２６８，０．２３８））を中心とする一辺および一辺に平行でない他辺のそれぞれが、Ｘ，Ｙ軸に直接投影した色度座標差ΔＸおよびΔＹが０．０２である正方形の色度エリアに含まれている。この正方形のエリアは、液晶表示装置として評価した場合に、液晶表示装置のバックライト光源（面光源）に要求される面内色度ばらつき範囲である。この正方形の色度エリア（真の目標色度エリア）は、別の表現でいうと、白色ＬＥＤの設定色度点（Ｘｍ，Ｙｍ）に対して定義される４つの色度点（Ｘｍ＋０．０１，Ｙｍ＋０．０１）、（Ｘｍ−０．０１，Ｙｍ−０．０１）、（Ｘｍ＋０．０１，Ｙｍ−０．０１）、（Ｘｍ−０．０１，Ｙｍ＋０．０１）を頂点とする正方形の色度エリアである。なお、本例の場合、Ｘｍ＝０．２６８、Ｙｍ＝０．２３８である。
【０１３５】
目標の色度ランクエリアＭは、白色ＬＥＤの色度ばらつき分布に合わせて設定し直したものであり、その一辺がＸ軸に直接投影できる側の色度座標の差である色度座標差ΔＸが０．０１程度以下であり、該一辺に平行でない他辺がＹ軸に直接投影できる側の色度座標の差である色度座標差ΔＹが０．０２５程度以下であることが好ましい。
【０１３６】
第３の色度ランクエリア（ｅ０，ｆ１）および第４の色度ランクエリア（ｆ０，ｅ１）は、何れも、その一辺のＸ軸に直接投影できる側の色度座標の差である色度座標差ΔＸ３，ΔＸ４が０．００７程度以下であり、該一辺に平行でない他辺のＹ軸に直接投影できる側の色度座標の差である色度座標差ΔＹ３，ΔＹ４が０．０１７もしくは０．００８程度以下であることが好ましい。
【０１３７】
第３の色度ランクエリア（ｅ０，ｆ１）は、色度座標差ΔＸ３および前記色度座標差ΔＹ３の双方とも０．００５程度以下であることがさらに好ましい。
【０１３８】
［色度ランクエリア設定事例１］
図１１および図１２に示すように、第３色度ランクエリアｅ０は、白色ＬＥＤ１７の色度ばらつき方向に沿う平行四辺形状とされている。
【０１３９】
設定事例１においては、第３の色度ランクエリアｅ０は、第５の色度ランクエリアｅ０と同一のエリアとされている。
【０１４０】
また、設定事例１においては、第３の色度ランクエリアｅ０は、第４の色度ランクエリアｆ０と一辺を接して隣接した位置とされている。
【０１４１】
詳しくは、設定事例１では、第３および第４の色度ランクエリアｅ０，ｆ０の一辺を共有するように隣接して設定した例である。
【０１４２】
目標の色度ランクエリアＭは、第３および第４の色度ランクエリアｅ０，ｆ０と跨るように配置されている。目標の色度ランクエリアＭは、第３および第４の色度ランクエリアｅ０，ｆ０の一辺の幅が同じ幅に設定されている。
【０１４３】
さらに、第６の色度ランクエリアｄ０は、第４の色度ランクエリアｆ０と同形とされており、目標の色度ランクエリアＭよりの第５の色度ランクエリアｅ０と一辺を共有し、この第５の色度ランクエリアｅ０を挟んで第４の色度ランクエリアｆ０と対向して配置されている。
【０１４４】
なお、第３および第５の色度ランクエリアｅ０，ｅ０、第４の色度ランクエリアｆ０および第６の色度ランクエリアｄ０は、共有する一辺と垂直な方向の各２辺がそれぞれ一つの直線上にある。
【０１４５】
また、図１１および図１２に示した色度図上で混色後の色度において、目標とする色度ランクエリアＭと中心Ｍｃが一致する第３および第５の色度ランクエリアｅ０，ｅ０が設定され、第３および第５の色度ランクエリアｅ０，ｅ０は、第４および第６の色度ランクエリアｆ０，ｄ０に接するように第４および第６の色度ランクエリアｆ０，ｄ０に挟まれて配置されている。すなわち、三つの色度ランクエリアｆ０，ｅ０，ｄ０が並ぶように配置されている。
【０１４６】
第３および第４の色度ランクエリアｅ０，ｆ０は、それぞれ第１および第２の色度ランクエリアｇ、Ｅに含まれるので、それぞれ第３および第４の色度ランクエリアｅ０，ｆ０に分類される任意の白色ＬＥＤ１７，１７を基板上で隣接させて配置させた場合、その混色後の色度結果は、目標の色度ランクエリアＭ内に入る。第５および第６の色度ランクエリアｅ０，ｄ０についても同様の結果となる。また、第３および第５の色度ランクエリアｅ０，ｅ０についても、それぞれの色度ランクエリアが、第１および第２の色度ランクエリアｇ，Ｅに含まれることになっているので、同様の結果となる。
【０１４７】
図１２に示すように、目標とする色度ランクエリアＭは、四角形状であり、Ｘ方向の色度座標差ΔＸ（ここでは０．０１程度）を一辺とし、Ｙ方向の色度座標差ΔＹ（ここでは０．０２５程度）を他辺とする色度ばらつき方向にほぼ平行な平行四辺形状である。
【０１４８】
第３および第５の色度ランクエリアｅ０，ｅ０は、Ｘ方向の色度座標差ΔＸ３，ΔＸ３（ここでは０．００７程度）を一辺とし、Ｙ方向の色度座標差ΔＹ３，ΔＹ３（ここでは０．０１７程度）を他辺とする色度ばらつき方向にほぼ平行な平行四辺形状である。
【０１４９】
第４および第６の色度ランクエリアｆ０，ｄ０は、Ｘ方向の色度座標差ΔＸ４，ΔＸ６（ここでは０．００７程度）を一辺とし、Ｙ方向の色度座標差ΔＹ４，ΔＹ６（ここでは０．００８程度）を他辺とする色度ばらつき方向にほぼ平行な平行四辺形状である。
【０１５０】
すなわち、第３から第６の色度ランクエリアｅ０，ｆ０，ｅ０，ｄ０の各一辺のＸ方向における色度座標差は同じであり、各他辺は、同一線上にある。
【０１５１】
［色度ランクエリア設定事例２］
図１３および図１４に示すように、色度図上で混色後の色度が目標とする色度ランクエリアＭ内に含まれ、目標の色度ランクエリアＭの中心を中心にもつ四角形状の色度エリアを４分割し、目標の色度ランクエリアＭの中心で頂点を共有するように、四角形状の色度ランクエリアｅ１〜ｅ４を設定する。
【０１５２】
設定事例２においては、第３の色度ランクエリアｆ１は、第４の色度ランクエリアｅ１とは離間し、目標の色度ランクエリアＭからは外れた位置とされている。
【０１５３】
また、第４の色度ランクエリアｅ１は、前述の通り、目標の色度ランクエリアＭ内の位置とされている。
【０１５４】
また、設定事例２においては、第３の色度ランクエリアｆ１は第５の色度ランクエリアｄ１と同形かつ、目標の色度ランクエリアＭの中心に対して点対称な配置関係に設定する。
【０１５５】
また、第６の色度ランクエリアｅ３は、目標の色度ランクエリアＭ内にあって第４の色度ランクエリアｅ１とは重複せず（互いに独立し）、目標の色度ランクエリアＭの中心に対して点対称な配置関係に設定されている。
【０１５６】
なお、第３、第５の色度ランクエリアｆ1、ｄ１は、色度ばらつきの中心がずれた分布の白色ＬＥＤ１７も使用できるように色度ばらつきの中心がずれた分布の中心付近に設けられている。
【０１５７】
また、ｅ１〜ｅ４の色度ランクエリアは、目標の色度ランクエリアＭ内に含まれ、目標の色度ランクエリアＭの一辺および一辺に平行でない他辺にそれぞれ平行な一辺および他辺を有し、その中心はＭｃと一致する平行四辺形状の色度エリアを仮想直線ｇＥ1，ｇＥ2によって４分割し、その結果得られた同形の各小片の色度エリアを割り当てたものでもある。
【０１５８】
図１４に示すように、第４の色度ランクエリアｅ１および第６の色度ランクエリアｅ３は、Ｘ方向の色度座標差ΔＸ４，ΔＸ６（ここでは０．００５程度）を一辺とし、Ｙ方向の色度座標差ΔＹ４，ΔＹ６（ここでは０．００８程度）を他辺とする四角形状であり、色度ばらつき方向にほぼ平行な平行四辺形状である。
【０１５９】
第３の色度ランクエリアｆ１は、Ｘ方向の色度座標差ΔＸ３（ここでは０．００８程度）を一辺とし、Ｙ方向の色度座標差ΔＹ３（ここでは０．００５程度）を他辺とする四角形状であり、色度ばらつき方向にほぼ平行な平行四辺形状である。
【０１６０】
第５の色度ランクエリアｄ１の色度エリアサイズは、第３の色度ランクエリアｆ１と同じである。
【０１６１】
第３および第５の色度ランクエリアｆ１，ｄ１は、実際には、図１３および図１４中で、一部エリアを切り取って台形状にしているが、これは混色後の色度ランクエリアをより狭く（色度ばらつきをより小さく）、つまり、マージンを見込んだ目標設定エリアとしたために、第３および第５の色度ランクエリアｆ１，ｄ１の大きさを小さくしている。こうすることで、発光モジュール５０上に設置する際に、色度むら低減の光学シートの枚数を減らしたりすることができ、それだけ低コスト化を実現することができる。
【０１６２】
図１３に示すように、第３の色度ランクエリアｆ１、第４の色度ランクエリアｅ１は、それぞれ第１の色度ランクエリアｇ、第２の色度ランクエリアＥ内に含まれているので、第３の色度ランクエリアｆ１、第４の色度ランクエリアｅ１にそれぞれ属する任意の白色ＬＥＤ１７，１７を隣接して配置した場合、その混色後の色度は、目標とする色度ランクエリアＭ内に入る。
【０１６３】
同様に、第５の色度ランクエリアｄ１、第６の色度ランクエリアｅ３についても、それぞれ第１の色度ランクエリアｇ、第２の色度ランクエリアＥ内に含まれているので、第５の色度ランクエリアｄ1、第６の色度ランクエリアｅ３にそれぞれ属する任意の白色ＬＥＤ１７、１７を隣接して配置した場合、その混色後の色度は、目標とする色度ランクエリアＭ内に入る。第７の色度ランクエリアｅ２、第８の色度ランクエリアｅ４についても同様にそれぞれの色度ランクエリアに属する任意の白色ＬＥＤ１７、１７を隣接して配置した場合、その混色後の色度は、目標とする色度ランクエリアＭ内に入る。
【０１６４】
目標の色度ランクエリアＭ内にある白色ＬＥＤ１７は、前述した色度ランクエリアの二つの分類方法を併用し、二つの色度ランクデータが付与されている。
【０１６５】
色度ランクエリアの分類方法において、色度ランクエリアは、目標の色度ランクエリアＭよりもサイズの小さい色度ランクエリアに分類することが好ましい。
【０１６６】
これは、混色によって得られた範囲を出来るだけ小さくすることにより、色度ばらつきの範囲を小さくしたいからである。
【０１６７】
隣り合う白色ＬＥＤ１７，１７の一方の白色ＬＥＤ１７は、目標の色度ランクエリアＭと重複する色度ランクにある白色ＬＥＤ１７を使用することが好ましい。
【０１６８】
なお、目標の色度ランクエリアＭにおいて、照明機器、液晶表示装置での評価結果からくる色度むらのばらつきが目立たない範囲の上限値としては、ΔＸが０．０１（より好ましくは０．００７）程度、ΔＹが０．０２５（より好ましくは０．０１）程度を例示できる。この上限値より色度差ΔＸ，ΔＹが大きいと、色度むらが目立つようになるので、混色によって得られる色度ばらつきの範囲が、この上限値に納まるように隣り合う白色ＬＥＤ１７，１７を配置することが好ましい。
【０１６９】
白色ＬＥＤ１７は、その分布によって決まってくる在庫量に応じて、次の配列方法１，２によって使い分けることができる。次に、白色ＬＥＤ１７のＬＥＤ基板２０上への配列方法について説明する。
【０１７０】
＜白色ＬＥＤのＬＥＤ基板上への配列方法＞
図１５は、白色ＬＥＤ１７のＬＥＤ基板２０上への配列方法を説明するための図である。図１５（ａ）から図１５（ｃ）は、第１から第３のタイプの発光モジュールα０，β０，γ０（５０）のＬＥＤ基板２０における白色ＬＥＤ１７の配列構成を示している。図１５（ｄ）から図１５（ｆ）は、第４から第６のタイプの発光モジュールα１，β１，γ１（５０）のＬＥＤ基板２０における白色ＬＥＤ１７の配列構成を示している。
【０１７１】
なお、図１５において、各発光モジュールα０，β０，α１，β１，γ１の行方向Ａにおける隣り合う白色ＬＥＤ１７，１７の配置構成が逆であってもよい。
【０１７２】
［配列方法１］
配列方法１は、図１１および図１２に示すような正規の色度ばらつきの範囲にある白色ＬＥＤ１７を使用する場合の配列方法である。
【０１７３】
この場合、隣り合う白色ＬＥＤ１７，１７として、隣接する色度ランクに属する白色ＬＥＤを選定することができる。
【０１７４】
この配列方法１では、図１５（ａ）から図１５（ｃ）に示すように、発光モジュール５０として、次の第１から第３タイプの発光モジュールα０，β０，ｅ０とすることができる。
【０１７５】
第１タイプの発光モジュールα０では、第３の色度ランクエリアｅ０に属する白色ＬＥＤ１７と第６の色度ランクエリアｄ０に属する白色ＬＥＤ１７とをＬＥＤ基板２０上に交互に配置する。
【０１７６】
第２タイプの発光モジュールβ０では、第４の色度ランクエリアｆ０に属する白色ＬＥＤ１７と第３の色度ランクエリアｅ０に属する白色ＬＥＤ１７とをＬＥＤ基板２０上に交互に配置する。
【０１７７】
第３タイプの発光モジュールγ０では、第３の色度ランクエリアｅ０に属する白色ＬＥＤ１７と第５の色度ランクエリアｅ０に属する白色ＬＥＤ１７とを、すなわち、第３の色度ランクエリアｅ０に属する白色ＬＥＤ１７のみをＬＥＤ基板２０上に配置する。
【０１７８】
図１６は、第１タイプの発光モジュールα０および第２タイプの発光モジュールβ０において隣り合う白色ＬＥＤ１７，１７間での混色後の色度ランクエリアを示すＣＩＥ１９３１座標のグラフである。
【０１７９】
第１タイプの発光モジュールα０および第２タイプの発光モジュールβ０では、隣り合う白色ＬＥＤ１７，１７間での混色後の色度ランクエリアは、図１６に示すように、上下のハッチングの領域ｆｅ０，ｅｄ０となる。
【０１８０】
また、第３タイプの発光モジュールγ０では、隣り合う白色ＬＥＤ１７，１７間での混色後の色度ランクエリアは、図１１および図１２に示す第３の色度ランクエリアｅ０そのものとなる。
【０１８１】
［配列方法２］
配列方法２は、図１３および図１４に示すような色度ばらつきの中心がずれた白色ＬＥＤ１７を使用する場合の配列方法である。
【０１８２】
この場合、ＬＥＤ基板２０上への白色ＬＥＤ１７の配列に当り、正規のばらつきの範囲からずれた第３の色度ランクエリアｆ１に属する白色ＬＥＤ１７および第５の色度ランクエリアｄ１に属する白色ＬＥＤ１７は、それぞれ、目標の色度ランクエリアＭ内にある第４の色度ランクエリアｅ１および第６の色度ランクエリアｅ３と組み合わせて配置することができる。
【０１８３】
この配列方法２では、図１５（ｄ）から図１５（ｆ）に示すように、発光モジュール５０として、次の第４から第６タイプの発光モジュールα１，β１，γ１とすることができる。
【０１８４】
第４タイプの発光モジュールα１では、第５の色度ランクエリアｄ１に属する白色ＬＥＤ１７と第６の色度ランクエリアｅ３に属する白色ＬＥＤ１７とをＬＥＤ基板２０上に交互に配置する。
【０１８５】
第５タイプの発光モジュールβ１では、第３の色度ランクエリアｆ１に属する白色ＬＥＤ１７と第４の色度ランクエリアｅ１に属する白色ＬＥＤ１７とをＬＥＤ基板２０上に交互に配置する。
【０１８６】
第６タイプの発光モジュールγ１では、第７の色度ランクエリアｅ２に属する白色ＬＥＤ１７と第８の色度ランクエリアｅ４に属する白色ＬＥＤ１７とをＬＥＤ基板２０上に交互に配置する。
【０１８７】
図１７は、第４タイプの発光モジュールα１および第５タイプの発光モジュールβ１において隣り合う白色ＬＥＤ１７，１７間での混色後の色度ランクエリアを示すＣＩＥ１９３１座標のグラフである。
【０１８８】
第４タイプの発光モジュールα１および第５タイプの発光モジュールβ１では、隣り合う白色ＬＥＤ１７，１７間での混色後の色度ランクエリアは、図１７に示すように、上下のハッチングの領域ｆｅ１，ｅｄ１となる。
【０１８９】
第６タイプの発光モジュールγ１では、図示を省略したが、隣り合う白色ＬＥＤ１７，１７間での混色後の色度ランクエリアは、図１３および図１４に示す第４の色度ランクエリアｅ１をそのエリアの中心が目標の色度ランクエリアＭの中心Ｍｃと合致するようにシフト（平行移動）した領域となる。
【０１９０】
この配列方法２では、白色ＬＥＤ１７の色度ランクエリアｆ１，ｄ１，ｅ１〜ｅ４のサイズが配列方法１での色度ランクエリアｆ０，ｄ０，ｅ０のサイズよりも小さいため、隣り合う白色ＬＥＤ１７，１７間での混色後の色度ランクエリアｆｅ１，ｅｄ１（図１７参照）のサイズを配列方法１での混色後の色度ランクエリアｆｅ０，ｅｄ０（図１６参照）のサイズよりも小さくすることができ、これにより、発光モジュール５０自体の面内の色度ばらつき範囲も配列方法１の場合に比べて小さくすることができる。
【０１９１】
また、第４および第６の色度ランクエリアｆ０，ｄ０を隣接して、あるいは、第３および第５の色度ランクエリアｆ１，ｄ１を隣接して配置しても混色によって目標の色度ランクエリアＭ内に納めることが可能である。しかし、第４および第６の色度ランクエリアｆ０，ｄ０や第３および第５の色度ランクエリアｆ１，ｄ１といった色度ランクエリアは、目標とする色度ランクエリアＭから外れたものであるので、通常は在庫量が少ない。このため、本実施の形態では、このような組合せについては例示していない。在庫量によっては、これらを隣接させて配置してもよい。
【０１９２】
次に、発光モジュール５０のシャーシ１４への配列ルールについて図１８から図２７を参照しながら説明する。
【０１９３】
＜発光モジュールのシャーシへの配列ルール＞
この配列ルールは、前述した第１から第６タイプの発光モジュールα０，β０，γ０，α１，β１，γ１（５０）をシャーシ１４上に配列する場合の配列ルールである。
【０１９４】
第１から第６タイプの発光モジュールα０，β０，γ０，α１，β１，γ１を長手方向が配列方向（行方向）Ａに沿うようにシャーシ１４上に配列する際に、白色ＬＥＤ１７の行方向Ａに直交する列方向Ｂにおいて隣り合う（例えば、１段目および２段目の）発光モジュール５０に関して、次の［１ａ］および［１ｂ］のルールに従って配列することができる。
【０１９５】
［１ａ］第１タイプの発光モジュールα０および第４タイプの発光モジュールα１のうち何れか一つの発光モジュールと、第２タイプの発光モジュールβ０および第５タイプの発光モジュールβ１のうち何れか一つの発光モジュールとを組み合わせる。すなわち、第１タイプの発光モジュールα０と第４タイプの発光モジュールα１との組合せおよび第２タイプの発光モジュールβ０と第５タイプの発光モジュールβ１との組合せは禁止する。
【０１９６】
［１ｂ］第１タイプの発光モジュールα０、第２タイプの発光モジュールβ０、第４タイプの発光モジュールα１および第５タイプの発光モジュールβ１のうち何れか一つの発光モジュールと、第３タイプの発光モジュールγ０および第６タイプの発光モジュールγ１のうち何れか一つの発光モジュールとを組み合わせる。
【０１９７】
図１８から図２１に列方向Ｂにおいて隣り合う発光モジュール５０，５０間の組合せ事例の第１から第１６パターンを示す。
【０１９８】
図１８において、第１パターンでは、第１タイプの発光モジュールα０と第２タイプの発光モジュールβ０とを列方向Ｂに配列している。第２パターンでは、第１タイプの発光モジュールα０と第３タイプの発光モジュールγ０とを列方向Ｂに配列している。第３パターンでは、第３タイプの発光モジュールγ０と第２タイプの発光モジュールβ０とを列方向Ｂに配列している。第４パターンでは、第３タイプの発光モジュールγ０と第３タイプの発光モジュールγ０とを列方向Ｂに配列している。
【０１９９】
図１９において、第５パターンでは、第４タイプの発光モジュールα１と第５タイプの発光モジュールβ１とを列方向Ｂに配列している。第６パターンでは、第４タイプの発光モジュールα１と第６タイプの発光モジュールγ１とを列方向Ｂに配列している。第７パターンでは、第６タイプの発光モジュールγ１と第５タイプの発光モジュールβ１とを列方向Ｂに配列している。第８パターンでは、第６タイプの発光モジュールγ１と第６タイプの発光モジュールγ１とを列方向Ｂに配列している。
【０２００】
図２０において、第９パターンでは、第４タイプの発光モジュールα１と第２タイプの発光モジュールβ０とを列方向Ｂに配列している。第１０パターンでは、第４タイプの発光モジュールα１と第３タイプの発光モジュールγ０とを列方向Ｂに配列している。第１１パターンでは、第１タイプの発光モジュールα０と第５タイプの発光モジュールβ１とを列方向Ｂに配列している。第１２パターンでは、第３タイプの発光モジュールγ０と第５タイプの発光モジュールβ１とを列方向Ｂに配列している。
【０２０１】
また、図２１において、第１３パターンでは、第６タイプの発光モジュールγ１と第２タイプの発光モジュールβ０とを列方向Ｂに配列している。第１４パターンでは、第６タイプの発光モジュールγ１と第３タイプの発光モジュールγ０とを列方向Ｂに配列している。第１５パターンでは、第１タイプの発光モジュールα０と第６タイプの発光モジュールγ１とを列方向Ｂに配列している。第１６パターンでは、第３タイプの発光モジュールγ０と第６タイプの発光モジュールγ１とを列方向Ｂに配列している。
【０２０２】
なお、図１８から図２１に示す例では、白色ＬＥＤ１７を行方向Ａに５個、６個、８個と並べた例を示しているが、それには限定されないことは言うまでもない。
【０２０３】
図１８から図２１に示す事例のうち、代表的な事例として第６パターン、第９パターン、第１１パターン、第１３パターン、第１５パターンおよび第１６パターンについて、発光モジュール５０，５０間での混色後の色度ばらつきの範囲をそれぞれ図２２から図２７に示す。なお、色度ばらつきは、計算値によって求めたものである。
【０２０４】
図２２に示す第６パターンでは、太線枠Ｐ６が第４タイプの発光モジュールα１と第６タイプの発光モジュールγ１との間での混色後の色度ばらつきの範囲を示している。図２３に示す第９パターンでは、太線枠Ｐ９が第４タイプの発光モジュールα１と第２タイプの発光モジュールβ０との間での混色後の色度ばらつきの範囲を示している。
【０２０５】
図２４に示す第１１パターンでは、太線枠Ｐ１１が第１タイプの発光モジュールα０と第５タイプの発光モジュールβ１との間での混色後の色度ばらつきの範囲を示している。図２５に示す第１３パターンでは、太線枠Ｐ１３が第６タイプの発光モジュールγ１と第２タイプの発光モジュールβ０との間での混色後の色度ばらつきの範囲を示している。
【０２０６】
また、図２６に示す第１５パターンでは、太線枠Ｐ１５が第１タイプの発光モジュールα０と第６タイプの発光モジュールγ１との間での混色後の色度ばらつきの範囲を示している。図２７に示す第１６パターンでは、太線枠Ｐ１６が第３タイプの発光モジュールγ０と第６タイプの発光モジュールγ１との間での混色後の色度ばらつきの範囲を示している。
【０２０７】
この他、第１パターンによる第１タイプの発光モジュールα０と第２タイプの発光モジュールβ０との間での混色後の色度ばらつきの範囲については、図１６において太線枠Ｐ１で示しており、第５パターンによる第４タイプの発光モジュールα１と第５タイプの発光モジュールβ１との間での混色後の色度ばらつきの範囲については、図１７において太線枠Ｐ５で示している。
【０２０８】
また、図２２から図２７において、網点で示すエリアＰ０は、第１タイプの発光モジュールα０、第２タイプの発光モジュールβ０のみを使用した場合の発光モジュール５０，５０間での色度ばらつきの範囲を示している。なお、図２７において、濃い網点で示すエリアＱ０は、第３タイプの発光モジュールγ０のみを使用した場合の発光モジュール５０，５０間での色度ばらつきの範囲を示している。
【０２０９】
前述したルールに従い、第４および第５タイプの発光モジュールα１，β１の隣り合う白色ＬＥＤ１７，１７間での混色後の色度ランクエリアｆｅ１，ｅｄ１（図１７参照）、第６タイプの発光モジュールγ１の隣り合う白色ＬＥＤ１７，１７間での混色後の色度ランクエリア（図示省略）、あるいは、第１から第６タイプの発光モジュールα０〜γ１を混合して列方向Ｂに配置した発光モジュール５０，５０間での混色後の色度ランクエリア（例えば、図１７に示す色度ランクエリアＰ５や、図２２から図２７に示す色度ランクエリアＰ６，Ｐ９，Ｐ１１，Ｐ１３，Ｐ１５，Ｐ１６）は、そのサイズが図２２から図２７に示す網点エリアＰ０のサイズよりも小さくなっている。このことから、前述したルールに従って、隣り合う白色ＬＥＤ１７，１７および隣り合うモジュール５０，５０を配列すれば、色度ばらつきをより小さくできることがわかる。
【０２１０】
図６には、前述したルールに基づき、シャーシ１４上に発光モジュール５０を配置した一例を示している。
【０２１１】
一方、発光モジュール５０の行方向Ａへの配列については、特に限定されないが、次の［２ａ］および［２ｂ］のルールに従って配列することが好ましい。
【０２１２】
［２ａ］行方向Ａに隣り合う発光モジュール５０，５０において両端部で（例えばコネクタ２２を介して）隣り合う白色ＬＥＤ１７，１７に対しては、行方向Ａに隣り合う発光モジュール５０，５０間（例えばコネクタ２２）での混色むらを改善するという観点から、混色によって目標の色度ランクエリアＭに入る組合せになるように配置する。
【０２１３】
［２ｂ］行方向Ａに隣り合う発光モジュール５０，５０において混色の相手の白色ＬＥＤ１７が存在しない白色ＬＥＤ（例えば、シャーシ１４の周縁に位置する発光モジュール５０におけるシャーシ１４の周縁側に位置する白色ＬＥＤ）１７に対しては、混色の相手の白色ＬＥＤ１７が存在しない白色ＬＥＤ１７での色度むらを改善するという観点から、目標の色度ランクエリアＭ内に色度ランクエリアのある第３、第４および第６の色度ランクエリアｅ０，ｅ１，ｅ３等の色度ランクエリアに属する白色ＬＥＤ１７がくるように配置する。
【０２１４】
なお、発光モジュール５０の在庫が十分あれば、色度ばらつきの低減を考慮して配列に留意することが好ましい。
【０２１５】
行方向Ａに隣り合う発光モジュール５０，５０を配置する配置ルールの具体的な構成例としては、例えば、図２８に示すような配置構成を例示できる。
【０２１６】
図２８は、行方向Ａに隣り合う発光モジュール５０，５０を配置する配置構成を示す図である。図２８（ａ）は、ＬＥＤ基板２０上に搭載する白色ＬＥＤ１７が偶数個の場合を例示しており、図２８（ｂ）から図２８（ｇ）は、ＬＥＤ基板２０上に搭載する白色ＬＥＤ１７が奇数個の場合を例示している。なお、図２８（ｅ）から図２８（ｇ）に示す各発光モジュールα１，β１，γ１の行方向Ａにおける隣り合う白色ＬＥＤ１７，１７の配置構成が逆であってもよい。
【０２１７】
［１］第１、第２、第４および第５タイプの発光モジュールの場合
［１−１］ＬＥＤ基板上に偶数個の白色ＬＥＤを搭載する場合
第１、第２、第４および第５タイプの発光モジュールα０，β０，α１，β１において、図２８（ａ）に示すように、ＬＥＤ基板２０上に偶数個の白色ＬＥＤ１７を搭載する場合には、行方向Ａに隣り合う発光モジュール５０，５０において両端部で隣り合う白色ＬＥＤ１７，１７は、前述した配置ルールで色度ばらつきが維持されるので、行方向Ａに隣り合う発光モジュール５０，５０として、同一タイプの発光モジュールを配置することができる。
【０２１８】
［１−２］ＬＥＤ基板上に奇数個の白色ＬＥＤを搭載する場合
また、ＬＥＤ基板２０上に奇数個の白色ＬＥＤ１７を搭載する場合において、ＬＥＤ基板２０の行方向Ａの両端部に第７の色度ランクエリアｅ２や第６の色度ランクエリアｅ３等のように目標の色度ランクエリアＭ内の色度ランクエリアの白色ＬＥＤ１７が配置される場合は、特にこだわらない。同一タイプの発光モジュールを行方向Ａに隣り合って配列してもよい。また、第３および第６タイプの発光モジュールγ０ ，γ１を行方向Ａに隣り合って配列してもよい（図２８（ｇ）参照）。
【０２１９】
ＬＥＤ基板２０の行方向Ａの両端部に、第３の色度ランクエリアｅ０等のように目標の色度ランクエリアＭ内に設定された色度ランクエリアの白色ＬＥＤ１７が配置される場合には、例えば、図２８（ｃ）に示すように、第１タイプの発光モジュールα０と第２タイプの発光モジュールβ０との組合せになるように、または、図２８（ｆ）に示すように、第４タイプの発光モジュールα１と第５タイプの発光モジュールβ１との組合せになるように、行方向Ａに隣り合う発光モジュール５０，５０を配列することが好ましい。
【０２２０】
［２］第３および第６タイプの発光モジュールの場合
第３タイプの発光モジュールγ０は、行方向Ａの端部に、第５の色度エリアランクｄ１に属する白色ＬＥＤ１７が配置された第４タイプの発光モジュールα１および行方向Ａの端部に第３の色度エリアランクｆ１に属する白色ＬＥＤ１７が配置された第５タイプの発光モジュールβ１と隣り合って配置させないほうが好ましい。それ以外は特に制約はない。
【０２２１】
第６タイプの発光モジュールγ１は、行方向Ａの端部に、第７の色度ランクエリアｅ２と共用する第４の色度エリアランクｅ１に属する白色ＬＥＤ１７が配置されたものであれば、第３の色度エリアランクｆ１、第４の色度エリアランクｆ０、第３の色度ランクエリアｅ０、第６の色度ランクエリアｅ３に属する白色ＬＥＤ１７が行方向Ａの端部に配置された発光モジュール５０を隣り合って配置させることが好ましい。
【０２２２】
また、第６タイプの発光モジュールγ１は、行方向Ａの端部に、第８の色度ランクエリアｅ４と共用する第６の色度ランクエリアｅ３に属する白色ＬＥＤ１７が配置されたものであれば、第３の色度ランクエリアｅ０、第４の色度エリアランクｅ１、第５の色度エリアランクｄ１、第６の色度ランクエリアｄ０に属する白色ＬＥＤ１７が行方向Ａの端部に配置された発光モジュール５０を隣り合って配置させることが好ましい。
【０２２３】
以上説明した本発明の実施形態では、面光源７０を構成する発光モジュール５０を液晶表示装置１０に適用したが、図２９に示すように、面光源７０と拡散板１５ｃとを備えた照明装置１０Ａに適用してもよい。
【０２２４】
また、本発明の実施形態では、発光モジュール５０をシャーシ１４に配列して青色発光チップを構成する事例を述べたが、シャーシ１４上に直接あるいはシャーシ１４の同型の実装基板上に白色ＬＥＤ１７を搭載する場合に適用してもよい。その場合、行方向Ａだけでなく、隣り合う白色ＬＥＤの列方向Ｂの配列は、前述した＜白色ＬＥＤのＬＥＤ基板上への配列方法＞に基づき、配列することができる。
【０２２５】
また、色度ランクエリアの設定は、ここで説明した例に限定されるものではなく、前述した＜色度ランクエリアの設定による白色ＬＥＤの配列方法の基本的な考え方＞に基づき、色度ばらつきの分布、混色後の目標の色度ランクエリアＭに応じて、組み合わせる色度ランクエリアのサイズ、配置、形を変更してもよい。
【符号の説明】
【０２２６】
１０    液晶表示装置
１０Ａ  照明装置
１１    液晶パネル
１２    バックライト装置（照明装置の一例）
１４    シャーシ（筐体の一例）
１５    光学シート群
１５ａ，１５ｃ  拡散板
１５ｂ  光学シート
１７    白色ＬＥＤ（点状光源の一例）
２０    ＬＥＤ基板（基板の一例）
２１    拡散レンズ
２２    コネクタ
５０    発光モジュール
６０    照明モジュール
７０    面光源
Ａ      白色ＬＥＤの列設方向（行方向）
Ｂ      白色ＬＥＤの列設方向に直交する方向（列方向）
Ｅ      第２の色度ランクエリア
Ｅｃ    第２の色度ランクエリアＥの中心
Ｍ      目標の色度ランクエリア
Ｍｃ    目標の色度ランクエリアＭの中心
ＴＶ    テレビ受信装置
ｄ１    第５の色度ランクエリア
ｄ０    第６の色度ランクエリア
ｅ０    第３の色度ランクエリア
ｅ０    第５の色度ランクエリア
ｅ１    第４の色度ランクエリア
ｅ２    第７の色度ランクエリア
ｅ３    第６の色度ランクエリア
ｅ４    第８の色度ランクエリア
ｆ０    第４の色度ランクエリア
ｆ１    第３の色度ランクエリア
ｇ      第１の色度ランクエリア
ｇｃ    第１の色度ランクエリアｇの中心
Ｅ１    第４の色度ランクエリア
ｇ１    第３の色度ランクエリア
ｇＥ１  仮想直線
ｇＥ２  仮想直線
ΔＸ    目標の色度ランクエリアのＸ座標差
ΔＹ    目標の色度ランクエリアのＹ座標差
ΔＸ１  第１の色度ランクエリアのＸ座標差
ΔＹ１  第１の色度ランクエリアのＹ座標差
ΔＸ２  第２の色度ランクエリアのＸ座標差
ΔＹ２  第２の色度ランクエリアのＹ座標差
α０    第１タイプの発光モジュール
β０    第２タイプの発光モジュール
γ０    第３タイプの発光モジュール
α１    第４タイプの発光モジュール
β１    第５タイプの発光モジュール
γ１    第６タイプの発光モジュール
【図１】
2011113941.tif 000003
【図２】
2011113941.tif 000004
【図３】
2011113941.tif 000005
【図４】
2011113941.tif 000006
【図５】
2011113941.tif 000007
【図６】
2011113941.tif 000008
【図７】
2011113941.tif 000009
【図８】
2011113941.tif 000010
【図９】
2011113941.tif 000011
【図１０】
2011113941.tif 000012
【図１１】
2011113941.tif 000013
【図１２】
2011113941.tif 000014
【図１３】
2011113941.tif 000015
【図１４】
2011113941.tif 000016
【図１５】
2011113941.tif 000017
【図１６】
2011113941.tif 000018
【図１７】
2011113941.tif 000019
【図１８】
2011113941.tif 000020
【図１９】
2011113941.tif 000021
【図２０】
2011113941.tif 000022
【図２１】
2011113941.tif 000023
【図２２】
2011113941.tif 000024
【図２３】
2011113941.tif 000025
【図２４】
2011113941.tif 000026
【図２５】
2011113941.tif 000027
【図２６】
2011113941.tif 000028
【図２７】
2011113941.tif 000029
【図２８】
2011113941.tif 000030
【図２９】
2011113941.tif 000031